(57)【要約】【課題】火災受信機の電話ジャックに送受話器が差し込まれている状態でも、端末機器から呼び出しがあれば、ＬＣＤ等の表示によって、端末機器から呼出されていることを作業者が認識することができる火災受信機を提供することを目的とするものである。【解決手段】端末機器に設けられている電話ジャックに、送受話器が差し込まれていることを検出する端末機器用差し込み検出手段と、火災受信機の電話ジャックに送受話器が差し込まれていることを検出する火災受信機用差し込み検出手段と、端末機器に設けられている電話ジャックに送受話器が差し込まれ、しかも、火災受信機の電話ジャックに送受話器が差し込まれているときに、電話呼出中であることを示すアイコンを、火災受信機の画面に点灯表示または点滅表示させる表示制御手段とを有する火災受信機である。【選択図】図４
2007323196.tif 000002
【特許請求の範囲】
【請求項１】
端末機器に設けられている電話ジャックに、送受話器が差し込まれていることを検出する端末機器用差し込み検出手段と；
火災受信機の電話ジャックに送受話器が差し込まれていることを検出する火災受信機用差し込み検出手段と；
端末機器に設けられている電話ジャックに送受話器が差し込まれ、しかも、火災受信機の電話ジャックに送受話器が差し込まれているときに、電話呼出中であることを示すアイコンを、火災受信機の画面に点灯表示または点滅表示させる表示制御手段と；
を有することを特徴とする火災受信機。
【請求項２】
請求項１において、
上記表示制御手段は、端末機器の電話ジャックに送受話器が差し込まれているが、上記火災受信機の電話ジャックに送受話器が差し込まれていないときに、上記アイコンを点滅表示または点灯表示させる手段であることを特徴とする火災受信機。
【発明の詳細な説明】
【技術分野】
【０００１】
本発明は、火災受信機の電話ジャックに送受話器が差し込まれている状態でも、端末機器から呼び出しがあれば、ＬＣＤ等の表示によって、端末機器から呼出されていることを認識することができる火災受信機に関する。
【背景技術】
【０００２】
従来の火災受信機は、現場から電話呼出があると、呼出音響を鳴動し、着信中であることを通知する。そして、この呼出音響鳴動中に、火災受信機の電話ジャックに送受話器を接続すると、呼出音響が停止し、通話可能状態に移行する（たとえば、特許文献１）。
【特許文献１】特開平０５−０６２０８３号公報
【発明の開示】
【発明が解決しようとする課題】
【０００３】
しかし、終話時に、電話ジャックから送受話器を取り外さなければ、以降、端末機器からの電話呼出があっても、呼出音響が鳴動できない状態になり、呼出中であることを通知することができない。
【０００４】
したがって、上記従来例では、作業者が送受話器を装着（電話ジャックへ接続）したままの状態で、他の作業を行っていると、端末機器側から緊急に連絡したいときに呼びかけることができないという問題がある。
【０００５】
すなわち、作業者は、送受話器の電話ジャックへの装着中は、送受話器を常時使用していなければならず、手から外すときには、送受話器を電話ジャックから取り外さなければならない。
【０００６】
本発明は、火災受信機の電話ジャックに送受話器が差し込まれている状態でも、端末機器から呼び出しがあれば、ＬＣＤ等の表示によって、端末機器から呼出されていることを作業者が認識することができる火災受信機を提供することを目的とするものである。
【課題を解決するための手段】
【０００７】
本発明は、端末機器に設けられている電話ジャックに、送受話器が差し込まれていることを検出する端末機器用差し込み検出手段と、火災受信機の電話ジャックに送受話器が差し込まれていることを検出する火災受信機用差し込み検出手段と、端末機器に設けられている電話ジャックに送受話器が差し込まれ、しかも、火災受信機の電話ジャックに送受話器が差し込まれているときに、電話呼出中であることを示すアイコンを、火災受信機の画面に点灯表示または点滅表示させる表示制御手段とを有する火災受信機である。
【発明の効果】
【０００８】
本発明によれば、火災受信機の電話ジャックに送受話器が差し込まれている状態でも、端末機器から呼び出しがあれば、ＬＣＤ等の表示によって、端末機器から呼出されていることを作業者が認識することができるという効果を奏する。
【発明を実施するための最良の形態】
【０００９】
発明を実施するための最良の形態は、以下の実施例である。
【実施例１】
【００１０】
図１は、本発明の実施例１である火災受信機ＲＥ１を含む火災報知設備ＦＡ１のシステム構成を示すブロック図である。
【００１１】
火災報知設備ＦＡ１は、端末機器として、差動式スポット型感知器ＳＥ１と、光電式スポット型感知器ＳＥ２と、熱アナログ感知器ＳＥ３と、光電式アナログ感知器ＳＥ４と、アドレッサブル発信機Ｇ１（電話ジャックＪ１付き）と、ショートサーキットアイソレータＳＣＩと、防排煙制御用中継器Ｃ１と、火災監視用中継器Ｃ２、Ｃ３、Ｃ８と、地区音響制御用中継器Ｃ４と、ガス漏れ検知用中継器Ｃ５と、防排煙制御用中継器Ｃ６と、中継器Ｃ７とを有する。これらは、伝送線（１系統）を介して、火災受信機ＲＥ１に接続されている。
【００１２】
また、火災報知設備ＦＡ１は、メッセージ表示機Ｄ１、Ｄ２、〜、Ｄ３１（電話ジャック付き）と、ディスプレイシステムＤＰ１、および各中継器に接続される機器として、一般型感知器ＳＥ６、ＳＥ７、ＳＥ８と、ガス漏れ検知器ＳＥ９と、Ｐ型発信機Ｇ２、Ｇ３（電話ジャックＪ１、Ｊ２付き）と、地区ベルＢＬと、防排煙機器（設備）ＤＳ１、ＤＳ２とを有する。また、火災報知設備ＦＡ１は、電話ジャックＪ１、Ｊ２、Ｊ３、Ｊ４に着脱される送受話器ＴＲ１、ＴＲ２、ＴＲ３、ＴＲ４を有し、また、発信機Ｇ１、Ｇ２、Ｇ３、およびメッセージ表示機Ｄ１〜Ｄ３１は、電話線ＴＬ１を介して、火災受信機ＲＥ１に接続されている。
【００１３】
差動式スポット型感知器ＳＥ１は、いわゆる熱感知器であって、火災による熱（温度上昇）を検出して火災と判別されるときに、火災信号を送信する。光電式スポット型感知器ＳＥ２は、いわゆる煙感知器であって、火災による煙を検出して火災と判別されるときに、火災信号を送信する。熱アナログ感知器ＳＥ３は、熱感知器の一種であって、火災による熱を検出するために、周囲温度のアナログ値を送信する。
【００１４】
アドレッサブル発信機Ｇ１は、いわゆる火災発信機であって、火災の発見者が手動操作する押しボタンを備え、火災信号を送信する。
【００１５】
ショートサーキットアイソレータＳＣＩは、後段の伝送線の短絡発生時に、後段の伝送線を切り離す装置であって、通常、信号伝送の必要はないが、火災受信機ＲＥ１からの復旧信号を受信し、復旧するものもある。ここでは、後段の伝送線の短絡解消時に、回復信号を送信する。
【００１６】
防排煙制御用中継器Ｃ１は、火災受信機ＲＥ１からの制御信号を受信して、接続される防排煙機器ＤＳ１を制御する。火災監視用中継器Ｃ２、Ｃ３は、信号線を介して一般型感知器または火災発信機が接続され、それらからの火災信号（スイッチング動作）を受信して、火災信号を送信する。火災監視用中継器Ｃ２は、自動試験機能付火災感知器を接続することができる。
【００１７】
地区音響制御用中継器Ｃ４は、火災受信機ＲＥ１からの制御信号を受信して、接続されている地区ベルＢＬを鳴動させる。ガス漏れ検知用中継器Ｃ５は、信号線を介してガス漏れ検知器ＳＥ９が接続され、信号（スイッチング動作）を受信して、ガス漏れ信号を送信する。
【００１８】
防排煙制御用中継器Ｃ６は、防排煙制御用中継器Ｃ１と同様である。中継器Ｃ７は、従来の中継器である。火災監視用中継器Ｃ８は、火災監視用中継器Ｃ３と同様である。
【００１９】
電話線ＴＬ１は、メッセージ表示機Ｄ１等の端末機器と火災受信機ＲＥ１とを接続する電話線である。
【００２０】
図２は、火災受信機ＲＥ１を示すブロック図である。
【００２１】
火災受信機ＲＥ１は、ＰＳＵ基板１０と、プリンタＰＲ１と、ＯＰＯ基板Ｂ１と、ＯＰＩＮ基板Ｂ２と、ＯＰＰＳ基板Ｂ３、Ｂ４と、ＮＩＵ基板（ホスト接続用基板）Ｂ５と、ＭＣＵ基板２０と、スピーカＳＰ１と、インバータＩＮＶ１と、タッチパネルＴＰとして作用するＬＣＤ３０と、送受話器ＴＲ１０が着脱される電話ジャックＪ１０と、ＣＴＵ基板（伝送基板）Ｂ６〜Ｂｎと、ＡＣ／ＤＣ電源ＡＣ／ＤＣと、予備電源ＢＴと、電話線ＴＬ１と、電話灯２２とを有する。
【００２２】
ＰＳＵ基板１０は、ＡＣ／ＤＣ電源ＡＣ／ＤＣとしてのＡＣ／ＤＣコンバータによってＡＣ１００Ｖから生成された直流電圧、ＤＣ２４Ｖを各基板１０、２０、Ｂ３〜Ｂｎに電源供給する基板であり、また、ＯＰＯ基板Ｂ１、ＯＰＩＮ基板Ｂ２に対して、移報を制御する基板である。ＭＣＵ基板２０は、主制御ユニット基板であり、表示部・メイン処理用の基板であり、メモリカードＭＣ１が挿入、接続される。ＯＰＯ基板Ｂ１は、移報出力用基板である。ＯＰＩＮ基板Ｂ２は、移報入力用基板である。
【００２３】
ＯＰＰＳ基板Ｂ３、Ｂ４は、端末機器の電源供給用基板であり、中継器Ｃ１〜Ｃ８の２次側に接続された端末機器（たとえば地区ベルＢＬ）に電源を供給する基板である。ＮＩＵ基板Ｂ５は、ホスト接続用基板であり、ホスト伝送線を介して、ディスプレイシステムＤＰ１と接続される基板である。
【００２４】
インバータＩＮＶ１は、ＬＣＤ３０のバックライトを駆動する電源を制御するものである。
【００２５】
タッチパネルＴＰとして作用するＬＣＤ３０は、入力および表示手段の例である。
【００２６】
ＣＴＵ基板Ｂ６〜Ｂｎは、端末機器と接続する伝送基板であり、２系統分の伝送線を制御する。
【００２７】
ＡＣ／ＤＣ電源ＡＣ／ＤＣは、商用交流電源ＡＣ１００Ｖを所定の直流電圧、ＤＣ２４Ｖの電源電圧に変換してＰＳＵ基板１０に出力するものである。予備電源ＢＴとしてのバッテリは、ＡＣ１００Ｖによって、ＰＳＵ基板１０、トランス、充電回路を介して常時充電され、ＡＣ１００Ｖの停電時に、ＡＣ／ＤＣ電源ＡＣ／ＤＣの代わりに、直流電圧ＤＣ２４ＶをＰＳＵ基板１０に供給する。
【００２８】
なお、図２に示すように、ＰＳＵ基板１０の電源部（ＡＣ／ＤＣ電源ＡＣ／ＤＣおよび予備電源ＢＴ）からの電源電圧ＤＣ２４Ｖは、電源線を介して、各基板１０、２０、Ｂ３〜Ｂｎに電源供給される。
【００２９】
ここで、ＭＣＵ基板２０、ＮＩＵ基板Ｂ５、ＣＴＵ基板Ｂ６〜Ｂｎは、電源部（不図示）が設けられ、ＰＳＵ基板１０からの電源電圧ＤＣ２４Ｖは、各電源部に電源供給され、各電源部が必要な電源電圧（ＤＣ２４Ｖ、ＤＣ５Ｖ等）を生成し、内部回路等へ電源供給する。
【００３０】
また、ＰＳＵ基板１０、ＭＣＵ基板２０、ＮＩＵ基板Ｂ５、ＣＴＵ基板Ｂ６〜Ｂｎは、上記電源部の他に、Ａ／Ｄ変換部、ＲＯＭ、ＲＡＭを内部に有するマイコン（ＣＰＵ）が搭載されている。
【００３１】
図３は、火災報知設備ＦＡの主要部を示すブロック図である。
【００３２】
火災受信機ＲＥ１は、電話線ＴＬ１（Ｔ、ＴＣ線）を介して、発信機等の端末機器と接続される。
【００３３】
ＰＳＵ基板１０は、制御回路（ＣＰＵ）１１と、通話回路１２と、発信機側接続検出回路１３と、火災受信機側接続検出回路１４と、電話ジャックＪ１０とを有する。
【００３４】
発信機側接続検出回路１３は、端末機器の電話ジャックＪ１〜Ｊ４に、送受話器ＴＲ１〜ＴＲ４の電話プラグＰ１〜Ｐ４が接続されていることを検出する端末機器用差し込み検出手段の例である。つまり、発信機側接続検出回路１３は、端末機器から電話呼出があることを検出する。
【００３５】
火災受信機側接続検出回路１４は、火災受信機ＲＥ１の電話ジャックＪ１０に送受話器ＴＲ１０の電話プラグＰ１０が接続されたことを検出する火災受信機用差し込み検出手段の例である。
【００３６】
すなわち、端末機器と火災受信機ＲＥ１とは、それぞれに送受話器が接続されると、通話回路１２を介して、互いに通話することができる。
【００３７】
各検出回路１３、１４の各検出結果は、制御回路１１に入力される。
【００３８】
ＭＣＵ基板２０は、制御回路（ＣＰＵ）２１と、電話灯２２と、スピーカＳＰ１、インバータＩＮＶ１と、ＬＣＤ／ＴＰ３０とを有する。
【００３９】
制御回路（ＣＰＵ）２１は、ＰＳＵ基板１０の制御回路（ＣＰＵ）１１から、上記検出結果を入力し、電話灯２２、スピーカＳＰ１、ＬＣＤ／ＴＰ３０を制御する。
【００４０】
制御回路２１は、端末機器に設けられている電話ジャックに送受話器が差し込まれ、しかも、火災受信機の電話ジャックに送受話器が差し込まれているときに、電話呼出中であることを示すアイコンを、火災受信機ＲＥ１の画面（ＬＣＤ）３０に点灯表示させる表示制御手段の例である。
【００４１】
図４は、実施例１における電話状態監視動作を示すフローチャートである。
【００４２】
図５は、実施例１において、ＬＣＤ３０にアイコン５０が表示されている例を示す図である。
【００４３】
メンテナンス等においては、各端末機器と火災受信機ＲＥ１との間で、順次、通話する。通常、端末機器から電話呼出があると（Ｓ１）、火災受信機側送受話器ＴＲ１０が電話ジャックＪ１０に接続されていないので（Ｓ２）、電話呼出音響を鳴動させ（Ｓ３）、電話灯２２を点滅させ（Ｓ４）、電話呼出中であることを示すアイコン５０を、ＬＣＤ３０に点滅表示させ（Ｓ５）、Ｓ１へ戻る。
【００４４】
電話呼出音響、電話灯の点滅表示、または、アイコン５０が点滅表示されていることに作業員が気付くと、端末機器から呼出があることを知り、作業員は火災受信機側送受話器ＴＲ１０を電話ジャックＪ１０に差し込む。これによって、端末機器と火災受信機ＲＥ１との間で通話可能状態になる。つまり、端末機器からの電話呼出があると（Ｓ１）、火災受信機側送受話器ＴＲ１０が電話ジャックＪ１０に接続され（Ｓ２）、通話可能状態となり、そして、電話呼出音響鳴動を停止させ（Ｓ６）、電話灯２２を点灯させ（Ｓ７）、アイコン５０を点滅表示から点灯表示に切り替える（Ｓ８）。
【００４５】
終話時は、通常、端末機器側の送受話器が電話ジャックから取り外されるので、端末機器から電話呼出がなくなり（Ｓ１）、また、火災受信機側の送受話器ＴＲ１０が電話ジャックＪ１０から取り外されるので、火災受信機側送受話器ＴＲ１０が接続されず（Ｓ９）、電話呼出音響の鳴動を停止させ（Ｓ１０）、電話灯２２を消灯させ（Ｓ１１）、アイコン５０をＬＣＤ３０から消去させ（Ｓ１２）、Ｓ１へ戻る。
【００４６】
ここで、終話時に、Ｓ９で、火災受信機側の送受話器ＴＲ１０を電話ジャックＪ１０から取り外すことを忘れると、火災受信機側送受話器ＴＲ１０が接続されているので（Ｓ９）、電話呼出音響の鳴動を停止させ（Ｓ１３）、電話灯２２を点灯させたままの状態に維持し（Ｓ１４）、火災受信機側の送受話器ＴＲ１０が取り外し忘れであることを作業者に通知し、アイコン５０をＬＣＤ３０から消去させ（Ｓ１２）、Ｓ１へ戻る。
【００４７】
ここで、端末機器から電話呼出があったときに（Ｓ１）、前回の通話後に火災受信機側送受話器ＴＲ１０を抜き忘れた等によって火災受信機側送受話器ＴＲ１０が電話ジャックＪ１０に接続されたままである場合（Ｓ２）、電話呼出音響の鳴動を停止させ（Ｓ６）、電話灯２２を点灯させ（Ｓ７）、アイコン５０をＬＣＤ３０に点灯表示させる（Ｓ８）。このように、アイコン５０が消灯表示から点灯表示に切り替わるので、火災受信機側送受話器ＴＲ１０が電話ジャックＪ１０に接続されたままであっても、端末から電話呼出を受けていることを作業者が知ることができる。
【００４８】
実施例１では、一旦通話が終了し、再び端末機器から電話呼出があった場合に（Ｓ１）、火災受信機側送受話器ＴＲ１０が電話ジャックＪ１０に接続されたままであったとしても（Ｓ２）、電話呼出音響が鳴動停止状態のままであり（Ｓ６）、電話灯２２が点灯状態のままであり（Ｓ７）、これだけだと端末から電話呼出を受けていることを作業者へ知らせることができないが、さらに、アイコン５０をＬＣＤ３０に消灯表示から切り替えて点灯表示させる（Ｓ８）ので、端末から呼び出されていることを作業者へ知らせることができる。
【００４９】
一方、従来の火災受信機では、現場から電話呼出があった場合、呼出音響を鳴動させ、着信中であることを通知している。ここで、呼出音響鳴動中に火災受信機の電話ジャックに送受話器を接続すると呼出音響が停止し、通話状態に移行するが、終話時に送受話器ＴＲ１０を電話ジャックＪ１０から取り外さなければ、以降、電話呼出があっても着信音が鳴動できず、呼出中であることに作業者が気付かない。
【００５０】
なお、図４において、破線で囲まれたステップＳ８、Ｓ５、Ｓ１５、Ｓ１２を省略したフローチャートが、従来例における動作を示すフローチャートである。
【００５１】
上記実施例によれば、火災受信機ＲＥ１の電話ジャックＪ１０に送受話器ＴＲ１０が差し込まれている状態でも、端末機器から呼び出しがあれば、ＬＣＤ３０にアイコン５０が表示されるので、端末機器から呼出されていることを作業者が認識することができる。
【００５２】
つまり、火災受信機ＲＥ１の盤面で作業者が作業し、送受話器ＴＲ１０を電話ジャックＪ１０に接続したまま他の作業に没頭しても、端末機器が火災受信機ＲＥ１に呼びかけることができる。また、盤面で作業する場合、ＬＣＤ３０を操作することが多く、ＬＣＤ３０へアイコン表示するので、作業者に気付かせることができる。
【００５３】
なお、電話灯２２は、盤面に多数の表示灯が存在するので、電話灯２２の表示変化を、作業者に確実かつ迅速に認識させにくく、また、火災受信機ＲＥ１の電話ジャックＪ１０に送受話器ＴＲ１０が差し込まれている状態であれば、端末機器からの呼出の有無に拘わらず点灯してしまう。
【００５４】
しかし、アイコン５０は、火災受信機ＲＥ１の電話ジャックＪ１０に送受話器ＴＲ１０が差し込まれている状態であって、端末機器からの呼出がないときは消去され、火災受信機ＲＥ１の電話ジャックＪ１０に送受話器ＴＲ１０が差し込まれている状態であって、端末機器からの呼出があったときにのみ点灯するので、端末機器から呼び出されていることを作業者が確実に認識することができる。なお、アイコン５０の表示状態は、点灯でも点滅でも呼出時に表示されさえすればよい。したがって、図４に示すＳ５とＳ８にいて、点滅表示と点灯表示とが逆であってもよい。
【００５５】
上記実施例において、呼出音響の鳴動状態、電話灯２２の表示状態、アイコン５０の表示状態は、マイコンで制御されるように、ブロック的に示したが、回路的に実現するようにしてもよい。
【図面の簡単な説明】
【００５６】
【図１】本発明の実施例１である火災受信機ＲＥ１を含む火災報知設備ＦＡ１のシステム構成を示すブロック図である。
【図２】火災受信機ＲＥ１を示すブロック図である。
【図３】火災報知設備ＦＡの主要部を示すブロック図である。
【図４】実施例１における電話状態監視動作を示すフローチャートである。
【図５】実施例１において、ＬＣＤ３０にアイコン５０が表示されている例を示す図である。
【符号の説明】
【００５７】
ＦＡ１…火災報知設備、
ＲＥ１…火災受信機、
Ｊ１、Ｊ２、Ｊ３、Ｊ４…電話ジャック、
ＴＲ１、ＴＲ２、ＴＲ３…送受話器、
３０…ＬＣＤ、
５０…アイコン。
【図１】
2007323196.tif 000003
【図２】
2007323196.tif 000004
【図３】
2007323196.tif 000005
【図４】
2007323196.tif 000006
【図５】
2007323196.tif 000007